(57)【要約】【課題】走査パルス発生回路に異常が発生した時に、発煙等を生じることなく動作を停止する保護回路と、この保護回路が正常に動作を開始するまでの間は異常検出信号の出力を抑制するゲート回路を備えたプラズマディスプレイ装置を提供する。【解決手段】維持パルスを発生する維持パルス発生回路４１２および走査パルスを発生する走査パルス発生回路４１３を有し走査電極を駆動する走査電極駆動部１１３を備え、走査パルス発生回路４１３は、出力電圧を切り替えるためのスイッチング回路４２２と、このスイッチング回路４２２を制御する走査制御回路４２３と、この走査制御回路４２３に印加する走査制御電源と、この走査制御電源の電圧が所定の電圧以下に低下したことを検出して警告信号を出力する異常電圧検出回路４２４と、この異常電圧検出回路４２４が起動するまで警告信号の出力を停止するゲート回路４２５を備える。【選択図】図４
2007218970.tif 000002
【特許請求の範囲】
【請求項１】
走査電極と維持電極とを有するプラズマディスプレイパネルと、維持パルスを発生する維持パルス発生回路および走査パルスを発生する走査パルス発生回路を有し前記走査電極を駆動する走査電極駆動部とを備え、
前記走査パルス発生回路は、出力電圧を切り替えるためのスイッチング回路と、このスイッチング回路を制御する走査制御回路と、この走査制御回路に印加する走査制御電源と、この走査制御電源の電圧が所定の電圧以下に低下したことを検出して警告信号を出力する異常電圧検出回路と、この異常電圧検出回路が起動するまで前記警告信号の出力を停止するゲート回路とを備えた
プラズマディスプレイ装置。
【発明の詳細な説明】
【技術分野】
【０００１】
本発明は、プラズマディスプレイパネルを用いた画像表示装置であるプラズマディスプレイ装置に関するものである。
【背景技術】
【０００２】
プラズマディスプレイパネル（以下、「パネル」と略記する）は、大画面、薄型、軽量であることを特徴とする視認性に優れた表示デバイスである。このパネルを用いたプラズマディスプレイ装置を安全に使用するために、例えば部品の破壊等の異常が万一発生した場合にその異常を検出し、プラズマディスプレイ装置の電源を遮断する等、様々な保護回路が提案されている。これら保護回路を備えたプラズマディスプレイ装置として、例えば下記特許文献１には、走査パルス発生回路に印加する電源電圧の異常を検出してパネルの駆動回路の動作を停止するプラズマディスプレイ装置が提案されている。
【特許文献１】特開２００４−３０９６０６号公報
【発明の開示】
【発明が解決しようとする課題】
【０００３】
このような保護回路を備えることにより、走査パルス発生回路等に異常が発生した時に、その異常発生を検出してプラズマディスプレイ装置を停止させ、機器の破壊等の事態に至るのを防止することは可能である。しかしながら、走査パルス発生回路の異常のモードによっては、走査パルス発生回路に用いられているＩＣが破損し、そのＩＣパッケージから発煙する等のトラブルに至ることがあった。
【０００４】
本発明はこれらの課題に鑑みなされたものであり、万一、走査パルス発生回路等に異常が発生しても、ＩＣが破損し、そのＩＣパッケージから発煙する等のトラブルに至ることなく動作を停止することができる保護回路を備えると同時に、このような異常電圧検出回路と保護回路が電源の立ち上がりから正常に動作するまでの間は、異常警告信号の出力を停止するようなプラズマディスプレイ装置を提供することを目的とする。
【課題を解決するための手段】
【０００５】
本発明は、走査電極と維持電極とを有するプラズマディスプレイパネルと、維持パルスを発生する維持パルス発生回路および走査パルスを発生する走査パルス発生回路を有し走査電極を駆動する走査電極駆動部とを備え、走査パルス発生回路は、出力電圧を切り替えるためのスイッチング回路と、スイッチング回路を制御する走査制御回路と、走査制御回路に印加する走査制御電源と、走査制御電源の電圧が所定の電圧以下に低下したことを検出して警告信号を出力する異常電圧検出回路と、異常電圧検出回路が起動するまで警告信号の出力を停止するゲート回路とを備えた、プラズマディスプレイ装置である。
【０００６】
このような構成を採ることによって、万一、走査パルス発生回路等に異常が発生しても、ＩＣが破損し、そのＩＣパッケージから発煙する等のトラブルに至ることなく動作を停止することができる保護回路を備えると同時に、このような異常検出回路と保護回路が電源の立ち上がりから正常に動作するまでの間は、異常警告信号の出力を停止することが可能になる。
【発明の効果】
【０００７】
本発明によれば、万一、走査パルス発生回路等に異常が発生しても、ＩＣが破損し、そのＩＣパッケージから発煙する等のトラブルに至ることなく動作を停止することができる保護回路を備えると同時に、このような異常検出回路と保護回路が電源の立ち上がりから正常に動作するまでの間は、異常警告信号の出力を停止することが可能なプラズマディスプレイ装置を提供することができる。
【発明を実施するための最良の形態】
【０００８】
以下、本発明の実施の形態におけるプラズマディスプレイ装置について、図面を用いて説明をする。
【０００９】
（実施の形態）
図１は、本発明の実施の形態におけるプラズマディスプレイ装置に用いるパネルの構造を示す分解斜視図である。パネル１００は、ガラス製の前面基板１２１と背面基板１３１とを対向配置して、その間に多数の放電セル１３６（図２参照）を形成するように構成されている。
【００１０】
前面基板１２１には、表示電極対を構成する走査電極１２２と維持電極１２３とが互いに平行に対をなして、複数形成されている。走査電極１２２と維持電極１２３とを覆うように誘電体層１２４が形成され、誘電体層１２４上には保護層１２５が形成されている。
【００１１】
背面基板１３１には、絶縁体層１３３で覆われた複数のデータ電極１３２が設けられ、絶縁体層１３３上に井桁状の隔壁１３４が設けられている。絶縁体層１３３の表面と隔壁１３４の側面には、赤青緑に発光する蛍光体が交互に塗布された蛍光体層１３５が設けられている。
【００１２】
走査電極１２２および維持電極１２３とデータ電極３２とが交差するように、前面基板２１と背面基板３１とが対向配置されており、電極の交差するそれぞれの位置に放電セル１３６が形成される。放電セルには放電ガスとして、例えばネオンとキセノンの混合ガスが封入されている。
【００１３】
なお、パネル１００の構造は必ずしも上述したものに限られるわけではなく、例えば井桁状の隔壁１３４のかわりにストライプ状の隔壁を備えていても構わない。
【００１４】
図２は、本発明の実施の形態に用いるパネル１００の電極配列図である。行方向にｎ本の走査電極１２２（ＳＣＮ１〜ＳＣＮｎ）およびｎ本の維持電極１２３（ＳＵＳ１〜ＳＵＳｎ）が配列され、列方向にｍ本のデータ電極１３２（Ｄ１〜Ｄｍ）が配列されている。そして、１対の走査電極１２２（ＳＣＮｉ）および維持電極１２３（ＳＵＳｉ）（ｉ＝１〜ｎ）と、１つのデータ電極１３２（Ｄｊ）（ｊ＝１〜ｍ）とが交差した部分に、放電セル１３６が形成され、放電セル１３６は放電空間内にｍ×ｎ個形成されている。
【００１５】
図３は、本発明の実施の形態におけるプラズマディスプレイ装置の、回路ブロック図である。このプラズマディスプレイ装置は、パネル１００、画像信号処理部１１７、データ電極駆動部１１２、走査電極駆動部１１３、維持電極駆動部１１４、タイミング発生部１１５、および各回路ブロックに必要な電源を供給する電源部（図示せず）、を備えている。
【００１６】
このプラズマディスプレイ装置は、その他の部分も多く備えているが、本発明の本質と直接関係しないものは図示と説明を省略している。
【００１７】
画像信号処理部１１７は、画像信号ｓｉｇを、各放電セルのサブフィールド毎の発光・非発光を示す画像データに変換する。
【００１８】
データ電極駆動部１１２は、サブフィールド毎の画像データを、各データ電極１３２（Ｄ１〜Ｄｍ）に対応する信号に変換し、各データ電極１３２を駆動する。
【００１９】
走査電極駆動部１１３は、各走査電極１２２（ＳＣＮ１〜ＳＣＮｎ）に所定の駆動電圧波形を供給する。維持電極駆動部１１４は、各維持電極１２３（ＳＵＳ１〜ＳＵＳｎ）に所定の駆動電圧波形を供給する。
【００２０】
タイミング発生部１１５は、水平同期信号Ｈと垂直同期信号Ｖをもとにして、各電極駆動部が駆動電圧波形を制御するための各種タイミング信号を発生し、各電極駆動部へ供給する。
【００２１】
図４に、本発明の実施の形態におけるプラズマディスプレイ装置の走査電極駆動部１１３の構成を示す回路図の一例を示し、図５には、本発明の実施の形態におけるプラズマディスプレイ装置の走査電極駆動部１１３の構成を示す回路図の他の例を示す。
【００２２】
走査電極駆動部１１３は、走査電極側維持パルス発生回路（以後、単に「維持パルス発生回路」と呼ぶ）４１２と、走査パルス発生回路４１３とを備え、走査パルス発生回路４１３の出力はパネル１００の走査電極１２２（ＳＣＮ１〜ＳＣＮｎ）に接続されている。走査電極駆動部１１３は、これら以外の部分も多く含んでいるが、本発明の本質と直接関係しないものについては、却って煩雑となって発明の本質が不明確になるのを避けるため、図示と説明とを省略する。
【００２３】
走査パルス発生回路４１３は、基準電位Ａを負の走査パルス電圧Ｖａに接続するためのスイッチ４２６と、基準電位Ａに対して電圧Ｖｃを重畳させる電源４２７と、ｎ本の走査電極１２２（ＳＣＮ１〜ＳＣＮｎ）のそれぞれに走査パルスを印加するためのｎ個のスイッチング回路４２２と、各スイッチング回路４２２を制御するためのｎ個の走査制御回路４２３と、各走査制御回路４２３に電圧Ｖｚ（５Ｖ）を印加するための電源４２８と、走査制御回路のための電源４２８の電圧異常を検出するための異常電圧検出回路４２４と、これらの電源や回路等が正常に立ち上がるまでの間、異常警告信号の出力を停止するためのゲート回路４２５と、を備えている。
【００２４】
ゲート回路４２５は、タイミング発生部１１５から供給されるマスク信号に基づいて、異常電圧検出回路４２４が起動し、その出力が正常状態を示すローレベルになるまで、ローレベルを維持する回路である。
【００２５】
走査パルス発生回路４１３は、これら以外の部分も多く含んでいるが、本発明の本質と直接関係しないものについては、却って煩雑となって発明の本質が不明確になるのを避けるため、図示と説明とを省略する。
【００２６】
各スイッチング回路４２２は、直列に接続された２つのＭＯＳスイッチと、これら２つのＭＯＳスイッチのそれぞれに並列に接続されたダイオードから構成され、各スイッチング回路の両端は、基準電位Ａと電位Ｖｃとに接続されている。
【００２７】
各スイッチング回路４２２の２つのＭＯＳスイッチは、各走査制御回路４２３によって制御され、走査制御回路４２３には電位Ｖｚが供給される。
【００２８】
スイッチング回路４２２と走査制御回路４２３とは、複数個ずつ組になってＩＣ化されている。このＩＣを「走査ＩＣ」と呼ぶ。このようにＩＣ化することで、回路をコンパクトにまとめることができ、実装面積も小さくすることができ、機器の小型化に貢献することができる。そして、このＩＣがモノリシックＩＣであれば実装面積もさらに小さくなり、より望ましい。
【００２９】
なお、ゲート回路４２５に入力されるマスク信号は、必ずしもタイミング発生部１１５から供給されるだけでなく、例えば、図５に示すように、マスク信号発生回路４３５によって供給されるとしても構わない。
【００３０】
図６に本実施の形態における、異常電圧検出回路４２４の詳細回路図を示す。この異常電圧検出回路４２４は走査ＩＣ（走査制御回路４２３）に供給される走査制御用電源４２８の電圧Ｖｚを監視し、この電圧が所定の電圧Ｖｔｈよりも小さくなったことを検出すると、異常検出信号を出力する。
【００３１】
走査制御用の電源４２８の電圧Ｖｚは、抵抗Ｒ５１１とＲ５１２とで構成される分圧回路で分圧され、シャントレギュレータＱ５１１のリファレンス入力端子に入力される。シャントレギュレータＱ５１１のアノード側は基準電位Ａに接続され、カソード側はフォトカプラＱ５１２の発光ダイオードのカソードに接続されている。
【００３２】
フォトカプラＱ５１２の発光ダイオードのアノードは、抵抗Ｒ５１３を介して走査制御用の電源４２８の電位Ｖｚに接続され、このフォトカプラＱ５１２の発光ダイオードには並列に抵抗Ｒ５１４が接続されている。フォトカプラＱ５１２のフォトトランジスタの出力は、異常検出信号としてゲート回路４２５に送られる。
【００３３】
このように、走査制御用の電源４２８の電圧Ｖｚを分圧する分圧回路と、分圧された電圧をリファレンス入力端子に入力されたシャントレギュレータＱ５１１と、シャントレギュレータＱ５１１と直列に発光ダイオードを接続されたフォトカプラＱ５１２とを用いて、比較的少ない部品数からなる簡単な回路構成で、異常電圧検出回路４２４を構成することができる。なお、異常電圧検出回路４２４の動作については後で詳細に説明をする。
【００３４】
次に、パネル１００を駆動する方法について説明する。
【００３５】
本実施の形態のプラズマディスプレイ装置においては、画像信号に応じた階調を表示する方法として、いわゆるサブフィールド法を用いている。サブフィールド法は１フィールド期間を表示輝度の異なる複数のサブフィールドに分割し、これらのサブフィールドの組合せによって階調を表示する方法である。
【００３６】
各サブフィールドは、初期化期間、書込み期間、維持期間を有している。図７は本発明の実施の形態において、パネル１００の各電極に印加する駆動電圧波形を示す図である。図７には２つのサブフィールド（第１サブフィールドと第２サブフィールド）に対する駆動電圧波形を示しているが、他のサブフィールドにおける駆動波形もほぼ同様である。
【００３７】
第１サブフィールドの初期化期間では、維持電極１２３（ＳＵＳ１〜ＳＵＳｎ）に０Ｖを印加するとともに、走査電極駆動部１１３の初期化パルス発生回路（図示せず）を用いて、電圧Ｖｉ１から電圧Ｖｉ２に向かって緩やかに上昇するランプ電圧を基準電位Ａに印加する。この時、走査パルス発生回路４１３のスイッチング回路４２２の電位Ｖｃ側のＭＯＳスイッチはオフ、基準電位Ａ側のＭＯＳスイッチはオンになるよう、走査制御回路４２３は制御する。これによって、電圧Ｖｉ１から電圧Ｖｉ２に向かって緩やかに上昇するランプ電圧が、走査電極１２２（ＳＣＮ１〜ＳＣＮｎ）に印加される。
【００３８】
その後、維持電極１２３（ＳＵＳ１〜ＳＵＳｎ）に電圧Ｖｅを印加するとともに、走査電極駆動部１１３の初期化パルス発生回路（図示せず）を用いて、電圧Ｖｉ３から電圧Ｖｉ４に向かって緩やかに下降するランプ電圧を、走査電極１２２（ＳＣＮ１〜ＳＣＮｎ）に印加する。これによって、各放電セル１３６において微弱な初期化放電が発生し、続く書込み動作に必要な壁電荷が各電極上に形成される。
【００３９】
なお、初期化期間の動作としては、図７の第２サブフィールドの初期化期間に示すように、走査電極１２２（ＳＣＮ１〜ＳＣＮｎ）に対して、電圧Ｖｉ３’から電圧Ｖｉ４に向かって緩やかに下降するランプ電圧を印加するだけでもよい。
【００４０】
次の書込み期間では、まず、走査電極駆動部１１３の走査パルス発生回路４１３のスイッチ４２６をオンにして、走査パルス発生回路４１３の基準電位Ａを電圧Ｖａにするとともに、スイッチング回路４２２の電位Ｖｃ側のＭＯＳスイッチはオン、基準電位Ａ側のＭＯＳスイッチはオフとなるように、走査制御回路４２３は制御する。これによって、各走査電極１２２（ＳＣＮ１〜ＳＣＮｎ）に電圧（Ｖｃ＋Ｖａ）が印加される。
【００４１】
次に、第１行目の走査電極１２２（ＳＣＮ１）に対応するスイッチング回路４２２の電位Ｖｃ側のＭＯＳスイッチをオフ、基準電位Ａ側のＭＯＳスイッチをオンに制御して、第１行目の走査電極１２２（ＳＣＮ１）に負の走査パルスＶａを印加する。このとき、発光するべき放電セル１３６に対応するデータ電極１３２に、データ電極駆動部１１２を用いて正の書込みパルスＶｄを印加する。
【００４２】
これによって、走査パルスＶａと書込みパルスＶｄとが同時に印加された第１行目の放電セル１３６では書込み放電が発生し、走査電極１２２（ＳＣＮ１）と維持電極１２３（ＳＵＳ１）に壁電荷を蓄積する書込み動作が行われる。
【００４３】
次に、第１行目の走査電極１２２（ＳＣＮ１）に対応するスイッチング回路４２２の電位Ｖｃ側のＭＯＳスイッチをオン、基準電位Ａ側のＭＯＳスイッチをオフに戻し、第２行目の走査電極１２２（ＳＣＮ２）に対応するスイッチング回路４２２の電位Ｖｃ側のＭＯＳスイッチはオフ、基準電位Ａ側のＭＯＳスイッチはオンとなるように制御して、第２行目の走査電極１２２（ＳＣＮ２）に負の走査パルスＶａを印加する。このとき、発光するべき放電セル１３６に対応するデータ電極１３２に、正の書込みパルスＶｄを印加する。
【００４４】
これによって、走査パルスＶａと書込みパルスＶｄとが同時に印加された第２行目の放電セル１３６では書込み放電が発生し、書込み動作が行われる。以上の書込み動作を、第ｎ行目の放電セル１３６に至るまで繰り返し実行し、発光すべき放電セル１３６に対して、選択的に書込み放電を発生させて、壁電荷を形成する。
【００４５】
次の維持期間では、まず、維持電極１２３に０Ｖを印加する。そして、走査電極駆動部１１３のスイッチング回路４２２の電位Ｖｃ側のＭＯＳスイッチをオフ、基準電位Ａ側のＭＯＳスイッチをオンにする。さらに、スイッチ４２６をオフに、スイッチ４１５をオンにし、維持パルス発生回路４１２の電位Ｖｓ側のスイッチをオンにして、走査電極１２２（ＳＣＮ１〜ＳＣＮｎ）に電圧Ｖｓを印加する。このようにして、走査電極１２２（ＳＣＮ１〜ＳＣＮｎ）に維持パルスＶｓを印加すると、書込み放電を起こした放電セル１３６では維持放電が起こり、発光する。
【００４６】
次に、維持パルス発生回路４１２の電位Ｖｓ側のスイッチをオフに、ＧＮＤ側のスイッチをオンにして、走査電極１２２（ＳＣＮ１〜ＳＣＮｎ）に０Ｖを印加するとともに、維持電極１２３（ＳＵＳ１〜ＳＵＳｎ）に維持パルスＶｓを印加する。これによって、維持放電を起こした放電セル１３６では再び維持放電が起こって、発光する。以降同様に、走査電極１２２（ＳＣＮ１〜ＳＣＮｎ）と維持電極１２３（ＳＵＳ１〜ＳＵＳｎ）とに交互に必要な回数の維持パルスを印加し、放電セル１３６を所定の輝度で発光させる。
【００４７】
続く各サブフィールドにおいても、上述したサブフィールドと同様の動作を繰り返すことによって放電セル１３６を発光させ、輝度を変化させた画像を表示する。
【００４８】
このような動作中に、何らかの理由で走査ＩＣに異常が発生し、走査制御用の電源４２８の電位Ｖｚが低下したと仮定する。本実施の形態においては、このような時、上記した異常電圧検出回路４２４が異常を検出し、プラズマディスプレイ装置の動作を停止させる。
【００４９】
そのために、具体的には以下のように動作する。
【００５０】
走査制御用の電源４２８が正常な電圧Ｖｚであれば、シャントレギュレータＱ５１１のリファレンス入力端子に入力される電圧が、シャントレギュレータＱ５１１内部の基準電圧よりも高く、シャントレギュレータＱ５１１のカソード電圧が低下するので、フォトカプラＱ５１２の発光ダイオードに電流が流れ、この発光ダイオードが発光する。そのために、フォトカプラＱ５１２の受光側トランジスタがオンし、異常検出信号はローレベルとなって正常であることを示す。
【００５１】
ところが、何らかの原因によって走査ＩＣに異常が発生し、走査制御用の電源４２８が短絡され、走査制御用の電源４２８の電圧Ｖｚが所定の電圧Ｖｔｈよりも低くなると、シャントレギュレータＱ５１１のリファレンス入力端子の電圧が内部基準電圧よりも低くなり、シャントレギュレータＱ５１１のカソード電圧が上昇して、フォトカプラＱ５１２のダイオードに電流が流れなくなり、この発光ダイオードの発光が停止する。すると、フォトカプラＱ５１２の受光側トランジスタがオフするので、異常検出信号はハイレベルとなり、異常が発生したことを示す。
【００５２】
しかしながら、この異常検出回路４２４の出力をそのまま異常検出信号としてゲート４０２に入力すると、電源がオンになった時に、走査パルス発生回路４１３はそれから一定時間後に起動するが、維持パルス発生回路４１２はゲート４０２の制御端子がハイであるために起動しないことが起こり得る。それから一定時間後に、異常検出信号がローレベルとなってゲート４０２が解除され、タイミング発生部１１５の信号が維持パルス発生回路４１２に入力されて、維持パルス発生回路４１２が起動する。
【００５３】
このように、走査パルス発生回路４１３の起動よりも維持パルス発生回路４１２の起動の方が遅いことが発生すると、スイッチ４１５に異常な電圧を生じる等、不都合を生じることがある。
【００５４】
そこで、異常電圧検出回路４２４の出力を一旦ゲート回路４２５に入力し、このゲート回路４２５で、電源がオンになってから一定時間は、異常検出信号を強制的にローレベルにする。
【００５５】
このゲート回路４２５の詳細な回路図を図８に示し、その動作タイミングチャートを図９に示す。
【００５６】
図９に示すように、異常電圧検出回路４２４は、電源がオンになってから正常に走査制御用の電源４２８の電圧Ｖｚを監視し始めるまでに一定時間を要し、その間はハイレベルを出力する。この異常電圧検出回路４２４の出力は、そのままゲート回路４２５のＡＮＤゲートＧ７１７のＩＮ２に入力される。
【００５７】
一方、ゲート回路４２５のＡＮＤゲートＧ７１７のＩＮ１は、図４に示す通り、タイミング発生部１１５からマスク信号として供給されるか、或いは図５に示す通り、マスク信号発生回路４３５から供給される。このマスク信号は、図８と図９に示す通り、異常電圧検出回路４２４の出力が正常にローレベルになるまで、ローレベルに維持される信号である。
【００５８】
これらの２つの信号、マスク信号がＩＮ１に、異常電圧検出回路４２４の出力信号がＩＮ２に入力され、そのＡＮＤ信号がＡＮＤゲートＧ７１７によって出力され、このＡＮＤゲートＧ７１７の出力信号が異常検出信号としてゲート４０２に送られるので、電源がオンになると同時にタイミング発生部１１５からの信号が維持パルス発生回路４１２に入力され、走査パルス発生回路４１３の起動よりも維持パルス発生回路４１２の起動が早くなる。従って、走査パルス発生回路４１３の起動よりも維持パルス発生回路４１２の起動の方が遅くなることはなく、スイッチ４１５に過大な電圧を生じる等の不都合を生じることもない。
【００５９】
このようにして、異常電圧検出回路４２４の電源がオンになってから正常に走査制御用の電源４２８の電圧Ｖｚを監視し始めるまでに出力するハイレベルは、ゲート回路４２５によって停止され、異常状態を示す信号としてゲート４０２へ送られることはない。
【００６０】
そして、起動後に、万一何らかの異常事態が発生し、異常電圧検出回路４２４の出力がハイレベルになると、その信号はゲート回路４２５のＡＮＤゲートＧ７１７のＩＮ２端子に入力される。この時、上記のように、ゲート回路４２５のＡＮＤゲートＧ７１７のＩＮ１端子はハイレベルになっているので、タイミング発生部１１５に対して、異常状態の発生を示す異常検出信号が送られる。
【００６１】
異常事態の発生を示すゲート回路４２５からのハイレベルの出力信号は、タイミング発生部１１５と走査電極駆動部１１３とを結ぶゲート４０２に送られてこのゲート４０２を遮断するので、タイミング発生部１１５からのタイミング信号が維持パルス発生回路４１２に入力されなくなり、維持パルス発生回路４１２は出力がハイインピーダンスとなってその動作を停止する。
【００６２】
このようにして、万一何らかの原因によって走査ＩＣに異常が発生し、走査制御用の電源４２８が短絡され、走査制御用の電源４２８の電圧Ｖｚが所定の電圧Ｖｔｈよりも低くなったとしても、維持パルス発生回路４１２の動作が停止され維持電流経路がなくなるので、走査ＩＣに過大な電流が流れたり、それによって走査ＩＣが極めて高温になったり、最悪のケースでは走査ＩＣのパッケージが発煙する等の事態にまで至ることはない。
【産業上の利用可能性】
【００６３】
本発明によれば、万一、走査パルス発生回路等に異常が発生しても、ＩＣが破損し、そのＩＣパッケージから発煙する等のトラブルに至ることなく動作を停止することができる保護回路を備えると同時に、このような異常検出回路と保護回路が電源の立ち上がりから正常に動作するまでの間は、異常警告信号の出力を停止することが可能なプラズマディスプレイ装置を提供することができるので、その産業上の利用可能性は極めて大きい。
【図面の簡単な説明】
【００６４】
【図１】本発明の実施の形態におけるプラズマディスプレイ装置に用いるパネルの構造を示す分解斜視図
【図２】本発明の実施の形態におけるプラズマディスプレイ装置に用いるパネルの電極配列図
【図３】本発明の実施の形態におけるプラズマディスプレイ装置の回路ブロック図
【図４】本発明の実施の形態におけるプラズマディスプレイ装置の走査電極駆動部の一例を示す図
【図５】本発明の実施の形態におけるプラズマディスプレイ装置の走査電極駆動部の他の例を示す図
【図６】本発明の実施の形態におけるプラズマディスプレイ装置の異常電圧検出回路の詳細回路図
【図７】本発明の実施の形態においてパネルの各電極に印加する駆動電圧波形を示す図
【図８】本発明の実施の形態におけるプラズマディスプレイ装置のゲート回路の詳細回路図
【図９】本発明の実施の形態におけるプラズマディスプレイ装置のゲート回路の動作タイミングチャート
【符号の説明】
【００６５】
１００    パネル
１１２    データ電極駆動部
１１３    走査電極駆動部
１１４    維持電極駆動部
１１５    タイミング発生部
１１７    画像信号処理部
１２１    前面基板
１２２    走査電極
１２３    維持電極
１２４    誘電体層
１２５    保護層
１３１    背面基板
１３２    維持電極
１３３    絶縁体層
１３４    隔壁
１３５    蛍光体層
１３６    放電セル
４０２    ゲート
４１２    維持パルス発生回路
４１３    走査パルス発生回路
４１５，４２６    スイッチ
４２２    スイッチング回路
４２３    走査制御回路
４２４    異常電圧検出回路
４２５    ゲート回路
４２７，４２８    電源
【図１】
2007218970.tif 000003
【図２】
2007218970.tif 000004
【図３】
2007218970.tif 000005
【図４】
2007218970.tif 000006
【図５】
2007218970.tif 000007
【図６】
2007218970.tif 000008
【図７】
2007218970.tif 000009
【図８】
2007218970.tif 000010
【図９】
2007218970.tif 000011